(57)【要約】【課題】広告の地域性をより反映させて、広告効果を高める。【解決手段】複数の異なる場所に設置された複数の送信装置２０（２０Ａ及び２０Ｂ）と、車両Ｓに搭載される車載装置３０とを備えた広告システムであって、複数の送信装置２０（２０Ａ及び２０Ｂ）は、それぞれの設置場所に応じて異なる広告データＤ１、Ｄ２であって、かつ、送信時刻に応じて異なる広告データＤ１、Ｄ２を含む信号を出力する送信手段２２を備え、車載装置３０は、いずれかの送信装置２０（２０Ａ及び２０Ｂ）から出力された信号を受信可能な受信可能エリア内にいるときに、受信可能な信号を受信する受信手段３１と、受信手段３１が受信した信号に含まれる広告データＤ１、Ｄ２に基づく広告を出力する出力手段３２と、を備える。【選択図】図２
2011197419.tif 000002
【特許請求の範囲】
【請求項１】
複数の異なる場所に設置された複数の送信装置と、移動体に搭載され、前記移動体とともに移動する広告出力装置とを備えた広告システムであって、
前記複数の送信装置は、
それぞれの設置場所に応じて異なる広告データであって、送信する時刻に応じて異なる広告データを含む信号を送信する送信手段を備え、
前記広告出力装置は、
いずれかの前記送信装置から送信された信号を受信可能な受信可能エリア内にいるときに、前記受信可能な信号を受信する受信手段と、
前記受信手段が受信した信号に含まれる広告データに基づく広告を出力する出力手段と、を備える広告システム。
【請求項２】
前記複数の送信装置へ広告データを配信する配信管理サーバをさらに備え、
前記配信管理サーバは、
前記複数の送信装置の設置場所を示す設置場所データを記憶する記憶手段と、
広告データと広告の対象となる商品またはサービスに係る場所とを対応付けた所在地データを記憶する記憶手段と、
前記設置場所データ及び前記所在地データに基づいて、前記広告データをいずれかの送信装置に割り当てる割当手段と、
前記割当手段の割当結果に従って、前記広告データを前記複数の送信装置へ配信する配信手段と、を備える請求項１記載の広告システム。
【請求項３】
前記配信管理サーバは、前記送信装置の設置場所の時間帯別の歩行者または車両の通行量を示す特性データを記憶する記憶手段をさらに備え、
前記割当手段は、前記設置場所データ、前記所在地データ及び前記特性データに基づいて、前記広告データをいずれかの前記送信装置に割り当てる請求項２に記載の広告システム。
【請求項４】
前記広告出力装置は、前記車両の走行状態に応じて前記出力手段による前記広告コンテンツの出力を制御する、請求項１〜３のいずれかに記載の広告システム。
【請求項５】
複数の異なる場所に設置された複数の送信装置と、移動体に搭載され、前記移動体とともに移動する広告出力装置とを備えた広告システムが広告を提供する方法であって、
前記複数の送信装置が、
それぞれの設置場所に応じて異なる広告データであって、かつ、送信する時刻に応じて異なる広告データを含む信号を送信し、
前記広告出力装置が、
いずれかの前記送信装置から送信された信号を受信可能な受信可能エリア内にいるときに、前記受信可能な信号を受信し、
前記受信した信号に含まれる広告データに基づく広告を出力する、広告の提供方法。
【発明の詳細な説明】
【技術分野】
【０００１】
本発明は、移動体に搭載された広告表示装置に、移動体の移動する経路及び時刻に応じて異なる広告を表示させるための技術に関する。
【背景技術】
【０００２】
特許文献１には、管理サーバが固定配置されている表示装置（コンテンツ再生コンピュータ）に対して、広告コンテンツを配信して、広告コンテンツを再生させることが記載されている。
【先行技術文献】
【特許文献】
【０００３】
【特許文献１】特開２００３−６７２８８号公報
【発明の概要】
【発明が解決しようとする課題】
【０００４】
ところで、広告の対象となる商品またはサービスには、地域性を有するものもある。例えば、店舗あるいは病院などは、それぞれの所在地の近くに居住している人や、その近所を通りかかる人などが、潜在的な顧客ないし患者となることが多い。
【０００５】
特許文献１に記載されている発明のような広告システムでは、表示装置は、駅前、ホテルのロビー、あるいは店舗内などの人が多く集まる場所に固定的に設置されている。そして、管理サーバが、各表示装置に対して、予め定められたスケジュールに従って広告コンテンツを配信し、各表示装置にスケジュールに従った広告コンテンツを表示させる。
【０００６】
ここで、広告の表示に関するスケジュールを決定する際に、各表示装置の設置場所等を考慮して、広告対象の近くの表示装置に、その広告対象の広告コンテンツを表示させることが行われる。
【０００７】
しかしながら、表示装置が移動し、その時々で移動経路が異なるような場合には、各表示装置にどの広告コンテンツを表示させるかを予めスケジュールすることができない。また、表示装置が移動する場合、例えば携帯電話を表示装置として広告コンテンツを表示させようとする場合、グローバル・ポジショニング・システム（ＧＰＳ）等を用いて表示装置の位置を把握する必要がある。（しかし、ＧＰＳ等では表示装置の位置情報は必ずしも正確に把握できない場合も多い。）
【０００８】
そこで、本発明の目的は、広告を出力する装置が移動する場合でも、当該装置の位置情報を取得せずに広告の地域性を反映させた効果の高い広告を出力させることである。
【課題を解決するための手段】
【０００９】
本発明の一つの実施形態に係る広告システムは、複数の異なる場所に設置された複数の送信装置と、移動体に搭載され、前記移動体とともに移動する広告出力装置とを備えた広告システムであって、前記複数の送信装置は、それぞれの設置場所に応じて異なる広告データであって、送信する時刻に応じて異なる広告データを含む信号を送信する送信手段を備える。前記広告出力装置は、いずれかの前記送信装置から送信された信号を受信可能な受信可能エリア内にいるときに、前記受信可能な信号を受信する受信手段と、前記受信手段が受信した信号に含まれる広告データに基づく広告を出力する出力手段と、を備える。
【００１０】
好適な実施形態では、前記複数の送信装置へ広告データを配信する配信管理サーバをさらに備え、前記配信管理サーバは、前記複数の送信装置の設置場所を示す設置場所データを記憶する記憶手段と、広告データと広告の対象となる商品またはサービスに係る場所とを対応付けた所在地データを記憶する記憶手段と、前記設置場所データ及び前記所在地データに基づいて、前記広告データをいずれかの送信装置に割り当てる割当手段と、前記割当手段の割当結果に従って、前記広告データを前記複数の送信装置へ配信する配信手段と、を備えてもよい。
【００１１】
好適な実施形態では、前記配信管理サーバは、前記送信装置の設置場所の時間帯別の歩行者または車両の通行量を示す特性データを記憶する記憶手段をさらに備え、前記割当手段は、前記設置場所データ、前記所在地データ及び前記特性データに基づいて、前記広告データをいずれかの前記送信装置に割り当ててもよい。なお、特性データは歩行者または車両の通行量を示すデータに加えて、または代えて歩行者の属性特徴を現すデータであっても良い。
【００１２】
好適な実施形態では、前記広告出力装置は、前記車両の走行状態に応じて前記出力手段による前記広告コンテンツの出力を制御するようにしてもよい。前記広告出力装置による広告コンテンツの出力制御の態様としては、送信装置から受信した広告データを車両に据え付けた表示装置に即時的に表示させる、記憶部に蓄積しておく、他の表示装置へ転送する、等が挙げられる。
【図面の簡単な説明】
【００１３】
【図１】本発明の一実施形態に係る広告システムの構成図を示す。
【図２】本発明の一実施形態に係る広告システムの概念図を示す。
【図３】配信管理サーバの構造の一例を示す。
【図４】送信装置属性記憶部のデータ構造の一例を示す。
【図５】広告物データ記憶部のデータ構造の一例を示す。
【図６】広告管理データ記憶部に記憶されているデータの一例を示す。
【図７】配スケジュール部によって作成されたスケジュールの一例を示す。
【図８】送信装置の一例の構成を示す。
【図９】車載装置の一例の構成を示す。
【図１０】送信装置における処理手順を示すフローチャートである。
【発明を実施するための形態】
【００１４】
以下、本発明の一実施形態に係る広告システムについて、図面を参照して説明する。本実施形態に係る広告システムは、様々な場所に設置された送信装置が、移動体に搭載された広告出力装置に対して広告データを送信し、各広告出力装置に広告コンテンツを出力させるシステムである。各送信装置が送信する広告データは、広告対象となる店舗等の所在地及び送信装置が配置されている場所などに基づいて定める。
【００１５】
図１は、本実施形態に係る広告システムの構成図を示す。同図に示すように本システムは、配信管理サーバ１０と、複数の送信装置２０（２０Ａ〜２０Ｃ）と、移動体である車両に搭載された広告出力装置としての車載装置３０とを備える。
【００１６】
配信管理サーバ１０は、送信装置２０（２０Ａ〜２０Ｃ）に広告データを配信する。ここで、広告データは、映像などの広告コンテンツを含む。なお、本明細書では広告コンテンツが広告する対象の商品またはサービスを「広告物」と称し、その商品の販売、またはサービスの提供に係る地点を「広告対象」と称する。例えば、広告コンテンツが特定の商品またはサービス（広告物）に係るものであっても、その商品が販売され、またはサービスが提供される店舗、病院等が広告対象となる。
【００１７】
配信管理サーバ１０は、例えば汎用的なコンピュータシステムにより構成される。配信管理サーバ１０の個々の構成要素または機能は、例えば、コンピュータプログラムを実行することにより実現される。コンピュータプログラムはコンピュータ読みとり可能な記録媒体に格納可能である。
【００１８】
送信装置２０（２０Ａ〜２０Ｃ）は、配信管理サーバ１０から配信された広告データを受信し、受信した広告データを車載装置３０へ送信する。
【００１９】
車載装置３０は、車両に搭載されていて、送信装置２０（２０Ａ〜２０Ｃ）から送信される広告データを受信する。車載装置３０は、受信した広告データに含まれる広告コンテンツをディスプレイなどの表示部に表示するなどして、車両内の人に視聴させる。後述するように、車載装置３０は当該装置に備えられた表示部に広告コンテンツを受信と同期して表示させるだけでなく、広告データを蓄積してから表示させたり、車両の乗客等が所有する携帯電話のような車載装置とは別異の表示装置に広告データを転送したりすることもできる。
【００２０】
図２は、本実施形態に係る広告システムの概要図を示す。
【００２１】
送信装置２０は、さまざまな場所に固定的に設置される。例えば、本実施形態では、送信装置２０は、屋外の電柱の柱上に設置される。この他に、送受信のためのアンテナだけを屋外（例えば、建物の外壁など）に設置し、送信装置２０は屋内に設置してもよい。
【００２２】
図２に示す例では、２台の送信装置２０（２０Ａ、２０Ｂ）が屋外に配置されている。さらに、同図の例では、送信装置２０Ａの近くには広告対象Ａが存在し、送信装置２０Ｂの近くには広告対象Ｂが存在する。
【００２３】
配信管理サーバ１０は、配信スケジュール（後述にて詳しく説明）に従って、広告データＤ１、Ｄ２を送信装置２０Ａ、２０Ｂに配信する。
【００２４】
図２に示す例では、配信管理サーバ１０は、広告データＤ１（広告対象Ａを広告する広告コンテンツが含まれているデータ）を送信装置２０Ａに送信する。また、配信管理サーバ１０は、広告データＤ２（広告対象Ｂを広告する広告コンテンツが含まれているデータ）を送信装置２０Ｂに配信する。配信方法は、有線、無線のどちらであっても良い。
【００２５】
車載装置３０は車両Ｓに搭載されている。車載装置３０は、車両Ｓと共に街中を移動しながら、送信装置２０から送信される広告データを集め、順次、広告コンテンツを車両Ｓ内の人に視聴させる。ここで、広告コンテンツは集められたタイミングで順次、表示されるのみならず、記憶装置に所定の時間、広告データを蓄積してから表示装置に表示されてもよい。また、車載装置３０は、車両Ｓ内に設置した表示装置に広告データを出力するのみならず、車両Ｓ内の人が所有する携帯端末などを表示装置として広告データを出力（転送）することもできる。なお、車両Ｓとは、自家用車の他、バス、タクシー、列車等の乗客を乗せる車両であってもよい。
【００２６】
図２に示す例では、車両Ｓが、送信装置２０Ａの信号を受信できる受信可能エリアＺＡまたは送信装置２０Ｂの信号を受信できる受信可能エリアＺＢに達すると、車載装置３０が、広告データＤ１またはＤ２を受信し広告データ記憶部３５に記憶させる。車載装置３０は、記憶した広告データＤ１またはＤ２を表示制御部３３に出力し、車両Ｓ内の人に、広告コンテンツ（広告映像）を視聴させる。
【００２７】
なお、広告コンテンツは、例えば、音声付きまたは音声無しの動画、あるいは静止画であってもよいし、音声のみであっても良い。
【００２８】
図３は、配信管理サーバ１０の機能構成の一例を示す。配信管理サーバ１０は、例えば、送信装置属性記憶部１１と、広告対象データ記憶部１２と、広告管理データ記憶部１３と、広告データ記憶部１４と、割当処理部１５と、配信スケジュール記憶部１６と、配信処理部１７とを備えている。
【００２９】
送信装置属性記憶部１１は、送信装置２０の属性データを記憶している。送信装置属性記憶部１１は、例えば図４に示すような、送信装置属性データ１１０を記憶している。送信装置属性データ１１０は、例えば、送信装置Ｎｏ１１１、設置場所１１２及び特性１１３を有する。
【００３０】
送信装置Ｎｏ１１１は、各送信装置２０の識別番号である。各送信装置２０は、識別番号に従い配信管理サーバ１０により識別される。
【００３１】
設置場所１１２は、各送信装置２０が設置されている場所を示す。図４に示されている例では、各送信装置２０の場所を経度及び緯度で特定しているが、住所等によって特定しても良い。
【００３２】
特性１１３は、各送信装置２０が配置されている場所の日別、時間帯別の交通量などの特性を示す。図４に示す例では、特性１１３に係るデータ項目として、時間帯１１３ａ、歩行者通行量１１３ｂ、車両通行量１１３ｃ及びクラスタ１１３ｄが設定されている。つまり、本実施形態では、特性１１３として、時間帯別の歩行者及び車両の通行量が設定されている。歩行者通行量１１３ｂ及び車両通行量１１３ｃは、それぞれの通行量の多寡を１〜３の３段階で記憶している。また、クラスタ１１３ｄは、地区を町丁目単位で区分し、各地区の居住者特性に応じて分類したときの、設置場所１１２付近の分類を示す符号である。
【００３３】
例えば、図４に示す、送信装置属性データ１１０ａによれば、送信装置Ｎｏ３の送信装置２０は、（経度、緯度）＝（ｘ３°、ｙ３°）に設置されており、時間帯９：００〜９：３０に歩行者通行量１１３ｂ及び車両通行量１１３ｃが「３」、クラスタがＣ１となっている。これにより、送信装置Ｎｏ３の送信装置２０は、時間帯９：００〜９：３０に、歩行者通行量１１３ｂ及び車両通行量１１３ｃが多い場所に設置されていることが分かる。なお、特性１１３は、各送信装置２０が設置されている場所の天候、周辺の居住者の特性等、他の特性でも良い。
【００３４】
広告対象データ記憶部１２は、広告対象に関するデータを記憶する。例えば、広告対象データ記憶部１２は、図５に示すような広告対象データ１２０を記憶している。すなわち、広告対象データ１２０は、広告対象を識別するための広告対象ＩＤ１２１と、広告対象の所在地１２２とを有する。
【００３５】
図５に示されている例では、広告対象Ａ〜Ｄの所在地を経度及び緯度で記憶している。これは、各送信装置２０の設置場所を経度及び緯度で記憶しているためである（図４参照）。各送信装置２０の場所を住所で記憶する場合は、広告対象Ａ〜Ｄの場所も同じく住所で記憶してもよい。
【００３６】
広告管理データ記憶部１３は、広告データに関する広告管理データを記憶する。例えば、広告管理データ記憶部１３は、図６に示すような広告管理データ１３０を記憶する。広告管理データ１３０は、広告対象ＩＤ１３１、広告データファイル名１３２、及び広告条件１３４を有する。
【００３７】
広告データファイル名１３２は、広告コンテンツが含まれている広告データのファイル名を示す。広告条件１３４は、広告データファイル名１３２の広告データを送信装置２０から送信する条件を示す。広告条件は、例えば、送信する時間帯、配信する期間、広告データを送信する送信装置２０と広告対象との距離、歩行者または車両の通行量などでもよい。広告データを送信する時間帯や配信する期間を含む広告条件は、広告主が定めてもよい。
【００３８】
割当処理部１５は、送信装置の設置場所を示すデータ及び広告対象の所在地を示すデータに基づいて、広告データをいずれかの送信装置２０に割り当てる。例えば、割当処理部１５は、送信装置属性データ１１０、広告対象データ１２０及び広告管理データ１３０に基づいて、広告データを送信装置に割り当てて、送信スケジュールを生成する。例えば、割当処理部１５は、広告管理データ１３０から広告対象ＩＤ１３１を抽出し、広告対象データ１２０を参照して広告対象の所在地１２２を特定する。さらに、割当処理部１５は、送信装置属性データ１１０を参照して、特定した所在地１２２に応じて、一以上の送信装置２０を選択する。例えば、所在地１２２から所定距離内の送信装置２０を選択してもよいし、所在地１２２からの距離が近いものから所定数の送信装置２０を選択してもよい。あるいは、所在地１２２の近隣にある通りを選択して当該通りに沿って設けられた所定数の送信装置２０を選択してもよい。また、割当処理部１５は、広告条件１３４に応じて、一以上の送信装置２０を選択してもよい。例えば、割当処理部１５は、歩行者または車両の交通量が設定されている場合は、それに対応した送信装置２０を選択してもよい。また、広告条件１３４で時間帯が設定されていれば、上記の処理で選択した送信装置２０に対して、その時間帯に割り当ててもよい。
【００３９】
配信スケジュール記憶部１６は、割当処理部１５が生成した配信スケジュール１６０を記憶する。配信スケジュール１６０は、例えば、図７に示すようなデータ構造を有する。すなわち、配信スケジュール１６０は、配信日１６１、配信時間帯１６２、送信装置１６３及び広告データファイル名１６４を記憶する。配信スケジュール１６０により、いつ（配信日、配信時間帯）、どこで（配信装置）、どの広告コンテンツ（広告データファイル）を配信するかが定まる。
【００４０】
配信処理部１７は、配信スケジュールに従って、広告データを送信装置２０へ配信する。その際、配信処理部１７は、配信スケジュール１６０のデータもあわせて配信してもよい。
【００４１】
図８は、本実施形態に係る送信装置２０の構成図を示す。同図に示すように送信装置２０は、配信データ受信部２１と、広告送信部２２と、配信スケジュール記憶部２３と、広告データ記憶部２４とを備える。
【００４２】
配信データ受信部２１は、配信管理サーバ１０から配信された広告データ及び配信スケジュールデータを受信する。受信した広告データは広告データ記憶部２４に記憶され、受信した配信スケジュールデータは、配信スケジュール記憶部２３に記憶される。
【００４３】
広告送信部２２は、それぞれの設置場所に応じて異なる広告データであって、送信する時刻に応じて異なる広告データを含む信号を送信する。広告送信部２２は、配信スケジュール記憶部２３に記憶されている配信スケジュールに従って広告データを送信してもよい。あるいは、配信管理サーバ１０が配信スケジュール１６０に従って広告データを配信する場合は、広告送信部２２は、配信データ受信部２１が広告データを受信すると、ほぼリアルタイムでその受信した広告データを出力してもよい。これにより、広告送信部２２は、設置場所及び時刻に応じて異なる広告データを含む信号を送信することができる。
【００４４】
広告送信部２２は、送信媒体として、電波または光などを用いてもよい。広告送信部２２が出力した信号が届く範囲が、この信号の受信可能エリアとなる。受信可能エリアは、例えば、広告送信部２２からの距離によって定まり、例えば、半径５０〜１００ｍ程度でもよい。さらに、広告送信部２２が出力する信号に指向性を持たせて、受信可能エリアの方向を限定してもよい。
【００４５】
図９は、本実施形態に係る車載装置３０の構成図を示す。同図に示すように車載装置３０は、広告受信部３１と、外部出力部３２と、表示制御部３３と、広告データ記憶部３５とを備える。
【００４６】
広告受信部３１は、送信装置２０から出力された広告データを送信するための信号を受信する。受信した信号に含まれる広告データは広告データ記憶部３５に記憶される。
【００４７】
車両は移動するので、車両と各送信装置２０との相対的な距離は時々刻々変化する。そして、車両Ｓがある送信装置２０から出力される信号の受信可能エリアに入ったときに、広告受信部３１がその信号を受信する。
【００４８】
外部出力部３２は、広告データ記憶部３５に記憶されている広告データを、車両内の人が所有する携帯端末等に出力する。
【００４９】
表示制御部３３は、広告データ記憶部３５に記憶されている広告データを車内ディスプレイのような表示装置３４に出力して、表示装置３４に広告コンテンツを表示させる。即ち、本実施態様では外部出力部３２は車両内の人が所有する携帯端末のような表示装置に広告コンテンツを表示させるための広告データの出力を行い、表示制御部３３は車両内に設置した表示装置３４に広告コンテンツを表示させるための広告データの出力を行う。
【００５０】
ここで、外部出力部３２及び表示制御部３３は、広告受信部３１が広告データを受信すると、ほぼリアルタイムでその受信した広告データに係る広告コンテンツを出力し、表示装置に表示させてもよい。これにより、送信装置２０の近くで、その送信装置２０から送られてくる広告を表示することができる。上述したように、各送信装置２０は、その所在地に応じて広告コンテンツを配信している。従って、ほぼリアルタイムでその受信した広告データに係る広告コンテンツを出力して表示させる場合、車両Ｓが移動するにつれて、その時々で、そのときに車両が存在する位置に応じた広告が収集され表示される。
【００５１】
また、広告受信部３１が受信した広告データは、広告データ記憶部３５に記憶されて所定時間が経過した後、外部出力部３２または表示制御部３３から出力されるようにしてもよい。例えば、外部出力部３２及び表示制御部３３は、広告受信部３１が広告データを受信したタイミングとは異なるタイミングで、広告データ記憶部３５から広告データを取得して、広告データに係る広告コンテンツを出力し、表示させてもよい。例えば、外部出力部３２及び表示制御部３３は、車両の走行状態に応じて広告コンテンツを出力し表示させてもよい。例えば、図示しない車速センサから車両の速度を取得し、所定速度以下になると外部出力部３２及び表示制御部３３が広告データに係る広告コンテンツを出力し、表示させてもよい。あるいは、表示制御部３３は、シフトレバーが「Ｎ」（ニュートラル）、「Ｐ」（駐車）に設定されたとき、あるいは、車両のエンジンが停止されたときなどに、それまでに収集した広告データを表示させてもよい。また、バスでは、終点に到着する所定時間前になったとき、または運転手から所定の指示があったときに、表示制御部３３がそれまでに収集した広告データを表示装置３４に表示させてもよい。外部出力部３２は同様に、車両の走行状態等に応じて広告データ記憶部３５から広告データを取得して車両内の人の携帯端末等の表示装置に広告データに係わる広告コンテンツを出力して表示させてよい。
【００５２】
次に、上記のような構成を備える広告システムでの処理手順を説明する。
【００５３】
まず、配信管理サーバ１０では、予め、送信装置属性データ１１０及び広告対象データ１２０が登録されている。そして、広告主から広告の依頼があると、配信管理サーバ１０に広告コンテンツに係る広告データ及び広告管理データ１３０が登録される。
【００５４】
配信管理サーバ１０では、割当処理部１５が、広告データをいずれかの送信装置２０へ割り当てて、配信する日時を定めた配信スケジュールを生成する。配信処理部１７は、配信スケジュールに従って、広告データを送信装置２０へ配信する。
【００５５】
各送信装置２０の処理手順を図１０のフローチャートで示す。このフローチャートに従って、送信装置２０の処理手順を説明する。
【００５６】
送信装置２０は、配信データ受信部２１が、配信管理サーバ１０から配信された広告データ及び配信スケジュールデータを受信する（Ｓ２０１）。受信した広告データ及び配信スケジュールデータは、広告データ記憶部２４に保存される。
【００５７】
広告送信部２２は、配信スケジュールを確認して、広告データを送信する時間帯であるか否かを判断する（Ｓ２０２）。送信時間帯であれば（Ｓ２０２：ＹＥＳ）、広告送信部２２は、広告データの送信を開始する（Ｓ２０３）。
【００５８】
送信時間帯の間、広告送信部２２は、繰り返し広告データの送信を行い、送信時間帯を経過すると広告データの送信を終了する（Ｓ２０４）。
【００５９】
これにより、各送信装置２０は、配信スケジュールに従った広告データの送信を行うことができる。つまり、本実施形態によれば、各送信装置２０は、それぞれの場所及び時刻に応じて異なる広告データを送信する。
【００６０】
次に、上記の処理により、配信スケジュールに従って、各送信装置２０が広告データを送信しているときに、車載装置３０を搭載した車両がその近くを通りかかると、車載装置３０が以下の処理を行う。すなわち、車載装置３０は、いずれからの送信装置２０の信号を受信可能な受信可能エリアにいるときに、送信装置２０から送信された広告データを受信して、広告コンテンツを表示制御部３３から出力して表示装置３４に表示させる。車載装置３０は車両とともに移動するのであるから、車両の移動する経路及び時間帯に応じて、各車両の車内では異なる広告コンテンツが表示される。
【００６１】
これにより、自由に移動する車両が、行く先々で広告データを収集して、随時車内で広告映像を表示することができる。その結果、広告の地域性をより反映した広告の提供を行うことができ、広告効果が高まる。
【００６２】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施できる。
【符号の説明】
【００６３】
１０    配信管理サーバ
１１    送信装置属性記憶部
１２    広告対象データ記憶部
１３    広告管理データ記憶部
１４    広告データ記憶部
１５    割当処理部
１６    配信スケジュール記憶部
１７    配信処理部
２０（２０Ａ〜２０Ｃ）    送信装置
３０    車載装置
【図１】
2011197419.tif 000003
【図２】
2011197419.tif 000004
【図３】
2011197419.tif 000005
【図４】
2011197419.tif 000006
【図５】
2011197419.tif 000007
【図６】
2011197419.tif 000008
【図７】
2011197419.tif 000009
【図８】
2011197419.tif 000010
【図９】
2011197419.tif 000011
【図１０】
2011197419.tif 000012